(57)【要約】【課題】タンパク質と脂質の複合汚れに優れると共に、抑泡性と保存安定性に優れた食器用液体洗浄剤組成物の提供。【解決手段】（ａ）炭素数１０のアルキル基又はアルケニル基を有する陰イオン性界面活性剤［以下、（ａ）成分という］を１．５質量％以上、（ｂ）（メタ）アクリル酸と（メタ）アクリル酸エステルとの共重合体［以下、（ｂ）成分という］、及び水を含有する、食器用液体洗浄剤組成物であって、前記組成物が分散液である、食器用液体洗浄剤組成物。【選択図】なし【特許請求の範囲】
【請求項１】
（ａ）炭素数１０のアルキル基又はアルケニル基を有する陰イオン性界面活性剤［以下、（ａ）成分という］を１．５質量％以上、（ｂ）（メタ）アクリル酸と（メタ）アクリル酸エステルとの共重合体［以下、（ｂ）成分という］、及び水を含有する、食器用液体洗浄剤組成物であって、前記組成物が分散液である、食器用液体洗浄剤組成物。
【請求項２】
（ａ）成分が、下記一般式（ａ１）で表される陰イオン性界面活性剤である、請求項１に記載の食器用液体洗浄剤組成物。
Ｒ１−Ｏ−（ＰＯ）ｍ１−ＳＯ３−Ｍ１        （ａ１）
〔式中、Ｒ１は、炭素数１０のアルキル基又はアルケニル基を示し、ＰＯはプロピレンオキシ基を示し、ｍ１はＰＯの平均付加モル数を示し、０以上１．５以下の数である。Ｍ１は水素原子又は陽イオンを示す。〕
【請求項３】
（ｂ）成分を、０．１５質量％以上含有する、請求項１又は２に記載の食器用液体洗浄剤組成物。
【請求項４】
（ｂ）成分の含有量と（ａ）成分の含有量の質量比（ｂ）/（ａ）が、０．１以上である、請求項１〜３の何れか１項に記載の食器用液体洗浄剤組成物。
【請求項５】
更に、（ｃ）消泡剤［以下、（ｃ）成分という］を含有する、請求項１〜４の何れか１項に記載の食器用液体洗浄剤組成物。
【請求項６】
（ｃ）成分が、炭素数３又は４のポリアルキレングリコール、及びシリコーン化合物から選ばれる１種以上である、請求項５に記載の食器用液体洗浄剤組成物。
【請求項７】
粘度が、２０℃で１００ｍＰａ・ｓ以上である、請求項１〜６の何れか１項に記載の食器用液体洗浄剤組成物。
【請求項８】
ｐＨが、２０℃で５以上９以下である、請求項１〜７の何れか１項に記載の食器用液体洗浄剤組成物。
【請求項９】
自動食器洗浄機用である、請求項１〜８の何れか１項に記載の食器用液体洗浄剤組成物。
【発明の詳細な説明】
【技術分野】
【０００１】
本発明は食器用液体洗浄剤組成物に関する。
【背景技術】
【０００２】
食器類に付着する汚れとしては、例えば、油汚れ、ご飯粒等のデンプン汚れ、卵等のタンパク汚れ、お茶等の色素汚れ等を挙げることができる。これらの中でも半熟卵に代表される脂質とタンパク質とが複合して乾燥した汚れは、食器に対して強固に固着するため落としにくく、自動食器洗浄機での洗浄では除去するのが困難な汚れとなる。また、油汚れは、洗浄が困難なうえに、食器に対して再付着するという課題がある。
このような乾燥汚れ及び油汚れは、自動食器洗浄機で洗浄する前に布やキッチンペーパー等により拭き取りを行うことが難しく、自動食器洗浄機で洗浄を行っても汚れが残るため、再度手洗いを行う必要性がある。
【０００３】
特許文献１には、抑泡性及び洗浄性に優れる洗浄剤として、デシル硫酸塩と縮合リン酸塩とを所定の質量比で含有する洗浄剤が開示されている。
特許文献２には、脂質とタンパク質とが複合し、乾燥して食器表面に強固に固着している汚れに対して優れた洗浄性能を示すと共に、界面活性剤に起因する泡立ちを抑制することを課題として、数平均分子量が４，５００以上、５０，０００以下であるポリプロピレングリコール（Ａ）、及び脂肪酸エステル型非イオン性界面活性剤（Ｂ）を含有する自動食器洗浄機用洗剤組成物であって、（Ａ）成分の含有量が０．５質量％以上、１０質量％以下であり、（Ｂ）成分に対する（Ａ）成分の質量比［（Ａ）／（Ｂ）］が０．２以上、５．０以下である自動食器洗浄機用洗剤組成物が開示されている。
【先行技術文献】
【特許文献】
【０００４】
【特許文献１】特開２０１４−０６５８１２号公報
【特許文献２】特開２０１４−１２９４９３号公報
【発明の概要】
【発明が解決しようとする課題】
【０００５】
特許文献１では、抑泡性が十分とは言えず、特許文献２では、タンパク質と脂質の複合汚れに対する更なる洗浄性の向上が望まれる。
【０００６】
本発明は、タンパク質と脂質の複合汚れに対する洗浄力に優れると共に、抑泡性と保存安定性に優れた、食器用液体洗浄剤組成物を提供する。
【課題を解決するための手段】
【０００７】
本発明は、（ａ）炭素数１０のアルキル基又はアルケニル基を有する陰イオン性界面活性剤［以下、（ａ）成分という］を１．５質量％以上、（ｂ）（メタ）アクリル酸と（メタ）アクリル酸エステルとの共重合体［以下、（ｂ）成分という］、及び水を含有する、食器用液体洗浄剤組成物であって、液体が分散液である、食器用液体洗浄剤組成物に関する。
【発明の効果】
【０００８】
本発明によれば、タンパク質と脂質の複合汚れに対する洗浄力に優れると共に、抑泡性と保存安定性に優れた、食器用液体洗浄剤組成物を提供することができる。
【発明を実施するための形態】
【０００９】
本発明の食器用液体洗浄剤組成物は、タンパク質と脂質の複合汚れに対する洗浄力に優れる。これは必ずしも定かではないが（ａ）成分における、炭素数１０のアルキル基又はアルケニル基の炭化水素基部分の鎖長が、タンパク質の２次構造を変化させることで、タンパク質と脂質の複合体の洗浄力が高まるためと推定される。
【００１０】
＜（ａ）成分＞
本発明の（ａ）成分は、炭素数１０のアルキル基又はアルケニル基を有する陰イオン性界面活性剤である。
（ａ）成分としては、カルボン酸系、スルホン酸系、硫酸系が挙げられ、具体的には、アルキルベンゼンスルホン酸又はその塩、脂肪酸又はその塩、アルカンスルホン酸又はその塩、アルキル硫酸エステル又はその塩、ポリオキシエチレンアルキルエーテル硫酸エステル又はその塩、α−オレフィンスルホン酸又はその塩、α−スルホ脂肪酸メチルエステル塩、ポリオキシエチレンアルキル（又はアルケニル）エーテルカルボン酸又はその塩、及びポリオキシエチレンアミドアルキル（又はアルケニル）エーテルカルボン酸又はその塩から選ばれる１種以上が挙げられる。塩としては、ナトリウム塩、カリウム塩、アンモニウム塩、アルカノールアンモニウム塩等が挙げられ、これらの１種又は２種以上を用いることができる。
【００１１】
より具体的な（ａ）成分としては、炭素数１０の脂肪酸であるデカン酸又はその塩、炭素数１０のアルキル基又はアルケニル基を有するスルホン酸（アルカンスルホン酸、アルケンスルホン酸）又はその塩、及び炭素数１０のアルキル基又はアルケニル基を有する硫酸（アルキル硫酸、アルケニル硫酸、アルキルエーテル硫酸、アルケニルエーテル硫酸）又はその塩から選ばれる１種以上が挙げられ、好ましくは炭素数１０のアルキル硫酸塩、及び炭素数１０のアルキルエーテル硫酸塩から選ばれる１種以上であり、より好ましくは炭素数１０のアルキル硫酸塩である。
アルキル基又はアルケニル基は、直鎖であっても分岐鎖であってもよく、複合汚れの洗浄力（以下、単に洗浄力ともいう）に優れる観点から、直鎖のアルキル基又はアルケニル基が好ましく、直鎖のアルキル基がより好ましい。
【００１２】
本発明の（ａ）成分は、抑泡性、複合汚れの洗浄力に優れる観点から、下記一般式(ａ１)で表される陰イオン性界面活性剤が好ましい。
Ｒ１−Ｏ−（ＰＯ）ｍ１−ＳＯ３−Ｍ１        （ａ１）
〔式中、Ｒ１は、炭素数１０のアルキル基又はアルケニル基を示し、ＰＯはプロピレンオキシ基を示し、ｍ１はＰＯの平均付加モル数を示し、０以上１．５以下の数である。Ｍ１は水素原子又は陽イオンを示す。〕
【００１３】
上記一般式（ａ１）において、Ｒ１は、洗浄力の観点から、炭素数１０のアルキル基又はアルケニル基であり、直鎖であっても分岐鎖であってもよい。Ｒ１は、好ましくは直鎖の炭素数１０のアルキル基である。
ｍ１はＰＯの平均付加モル数を示し、０以上であり、洗浄力及び抑泡性の観点から、１．５以下、好ましくは１．０以下、より好ましくは０．７以下、更に好ましくは０．５以下、より更に好ましくは０．３以下、より更に好ましくは０．１以下である。また、ｍ１が０であることも好ましい。
【００１４】
Ｍ１は、水素原子又は陽イオンであり、塩を形成する陽イオンとして、例えば、アルカリ金属イオン、アルカノールアンモニウムイオン、アンモニウムイオン等が挙げられる。アルカリ金属イオンとしては、ナトリウムイオン、カリウムイオン、リチウムイオンが挙げられ、アルカノールアンモニウムイオンとしては、モノエタノールアンモニウムイオン、ジエタノールアンモニウムイオン、トリエタノールアンモニウムイオン等が挙げられる。これらの中では、ナトリウムイオン又はカリウムイオンが好ましい。
【００１５】
（ａ）成分は、前記一般式（ａ１）で表される化合物として、異なる２種以上を用いてもよい。
【００１６】
尚、前記一般式（ａ１）で表される化合物は、Ｒ１Ｏ−（ＰＯ）ｍ１Ｈで表される原料アルコールを硫酸化することで得られるが、本発明を損なわない限り、Ｒ１Ｏ−（ＰＯ）ｍ１Ｈに、エチレンオキシドをわずかに付加した原料アルコールを用いてもよい。
【００１７】
＜（ｂ）成分＞
本発明の食器用液体洗浄剤組成物は、（ｂ）成分として、（メタ）アクリル酸［メタクリル酸及び／又はアクリル酸の意味である。］と（メタ）アクリル酸エステルとの共重合体を、保存安定性の観点から含有する。
【００１８】
（ｂ）成分の構成単位である（メタ）アクリル酸エステルのエステルを構成する炭化水素基は、好ましくはアルキル基であり、その炭素数は、好ましくは８以上、より好ましくは１０以上、そして、好ましくは３０以下、より好ましくは２２以下である。また、（ｂ）成分の共重合体は、炭素数２以上４以下のアルキレンオキサイド（以下、ＡＯという）に由来する構成単位を含んでいてもよい。
【００１９】
（ｂ）成分の共重合体中の（メタ）アクリル酸エステルからのモノマー構成単位の比率は、質量比で（メタ）アクリル酸１００に対して（メタ）アクリル酸エステルを、好ましくは０．２以上、より好ましくは０．５以上、そして、好ましくは１０以下、より好ましくは５以下である。
なお、（ｂ）成分は、（メタ）アクリル酸重合体を後からエステル化したものを含んでもよい。
【００２０】
さらに、（メタ）アクリル酸と（メタ）アクリル酸エステルとの共重合体は、架橋していることが好ましい。架橋剤としては、ペンタエリトリトールアリルエーテル、ジエチレングリコールジアリルエーテル、ポリエチレングリコールジアリルエーテル等のようなエチレン性不飽和基を２個以上有する化合物が挙げられる。
架橋剤を使用する場合、（メタ）アクリル酸と（メタ）アクリル酸エステルの合計１００質量部に対して、好ましくは０．０１質量部以上、より好ましくは０．０５質量部以上、０．０８質量部以上、好ましくは１質量部以下、より好ましくは０．５質量部以下、更に好ましくは０．３質量部以下である。
【００２１】
（ｂ）成分の全重合体中、（メタ）アクリル酸と（メタ）アクリル酸エステルと、用いる場合は更に架橋剤との合計含有量の割合が、好ましくは９５質量％以上、より好ましくは９９質量％以上、そして、好ましくは１００質量％以下であり、また１００質量％であってもよい。
【００２２】
（ｂ）成分の粘度は、水酸化ナトリウムでｐＨ７．０に調整した（ｂ）成分１質量％水溶液において、２０℃にてブルックフィールド型粘度計（測定粘度に応じて、ローターＮｏ．３又はローターＮｏ．４、回転数３０ｒ／ｍ）で測定した粘度が、好ましくは１，０００ｍＰａ・ｓ以上、より好ましくは３，０００ｍＰａ・ｓ以上、更に好ましくは５，０００ｍＰａ・ｓ以上、より更に好ましくは１０，０００ｍＰａ・ｓ以上、そして、好ましくは２００，０００ｍＰａ・ｓ以下、より好ましくは１００，０００ｍＰａ・ｓ以下、更に好ましくは７０，０００ｍＰａ・ｓ以下、より更に好ましくは５０，０００ｍＰａ・ｓ以下である。
【００２３】
（ｂ）成分は、例えば、ノベオン社（Ｎｏｖｅｏｎ Ｉｎｃ．）製のカーボポールＥＴＤ２０２０、住友精化株式会社製アクペックＨＶ５０１ＥＲ、アクペックＨＶ７０１ＥＤＲ等の市販品を用いることができる。これらは、２種以上を併用することもできる。
【００２４】
＜（ｃ）成分＞
本発明の食器用液体洗浄剤組成物は、（ｃ）成分として消泡剤［以下、（ｃ）成分という］を含有することが、抑泡性の観点から好ましい。
（ｃ）成分としては、配合適正の観点から、炭素数３又は４のポリアルキレングリコール、炭素数１６以上１８以下の炭化水素基を有する脂肪酸エステル及びシリコーン化合物から選ばれる１種以上が好ましく、炭素数３又は４のポリアルキレングリコール、及びシリコーン化合物から選ばれる１種以上がより好ましい。これらは、組み合わせて併用することもできる。
【００２５】
（ｃ）成分の炭素数３又は４のポリアルキレングリコールとしては、ポリプロピレングリコール、ポリブチレングリコールが挙げられ、ポリプロピレングリコールが好ましい。
炭素数３又は４のポリアルキレングリコールの数平均分子量は、使用時の泡立ちを抑制する観点から、好ましくは１，０００以上、より好ましくは１，５００以上、更に好ましくは２，０００以上であり、そして、好ましくは２０，０００以下、より好ましくは１０，０００以下、更に好ましくは６，０００以下、より更に好ましくは４，０００以下である。
なお、数平均分子量は、水酸基価から求めることができる。また、水酸基価は、ＪＩＳ Ｋ−１５５７−１に準じた方法で測定することができる。
【００２６】
（ｃ）成分の炭素数が１６以上１８以下の炭化水素基を有する脂肪酸エステルとしては、ソルビタン脂肪酸エステル、ショ糖脂肪酸エステル、脂肪酸モノグリセリド、及びポリグリセリン脂肪酸エステルから選ばれる１種又は２種以上が好ましく、これらの中では、ソルビタン脂肪酸エステル、及び脂肪酸モノグリセリドから選ばれる１種又は２種以上が好ましい。具体的には、グリセリルモノパルミテート、グリセリルモノマルガレート、グリセリルモノステアレート、グリセリルモノオレエート、パーム核油組成脂肪酸モノグリセリド、ソルビタンモノパルミテート、ソルビタンモノマルガレート、ソルビタンモノステアレート、ソルビタンモノオレエート、ショ糖モノパルミテート、ショ糖モノマルガレート、ショ糖モノステアレート、及びショ糖モノオレエートから選ばれる１種又は２種以上が挙げられる。
【００２７】
（ｃ）成分のシリコーン化合物としては、オイル型、溶液型、粉末型、エマルジョン型など特に制限されるものではないが、例えばポリジメチルシロキサンなどのポリオルガノシロキサン油又は樹脂の分散液、又はエマルジョン、及びポリオルガノシロキサンがシリカ上に化学吸着または溶融されたポリオルガノシロキサンとシリカ粒子の組み合わせ等を挙げることができる。中でも（ｃ）成分は、ポリジメチルシロキサンを挙げることができる。
【００２８】
＜水＞
本発明の食器用液体洗浄剤組成物は、水を含有する。水は、組成物の残部となる量で用いられる。水は、イオン交換水又は蒸留水を用いることが出来る。また、水を殺菌又は滅菌する目的から少量の塩素を含有してもよい。
【００２９】
＜食器用液体洗浄剤組成物の組成等＞
本発明の食器用液体洗浄剤組成物は、（ａ）成分を、洗浄力の観点から、１．５質量％以上、好ましくは２質量％以上、より好ましくは３質量％以上、更に好ましくは４質量％以上、そして、抑泡性の観点から、好ましくは１５質量％以下、より好ましくは１２質量％以下、更に好ましくは１０質量％以下、より更に好ましくは８質量％以下、より更に好ましくは６質量％以下含有する。なお、（ａ）成分の含有量（質量％）は、ナトリウム塩換算、すなわち、一般式（ａ１）中のＭ１がナトリウムイオンである化合物換算の量に基づいて算出される。
【００３０】
本発明の食器用液体洗浄剤組成物は、（ｂ）成分を、保存安定性の観点から、好ましくは０．１５質量％以上、より好ましくは０．３質量％以上、更に好ましくは０．５質量％以上、より更に好ましくは０．７５質量％以上、そして、取扱い性の向上の観点から、好ましくは１０質量％以下、より好ましくは８質量％以下、更に好ましくは６質量％以下、より更に好ましくは４質量％以下、より更に好ましくは２質量％以下含有する。なお、（ｂ）成分の含有量（質量％）は、酸換算に基づいて算出される。
【００３１】
本発明では、洗浄力の観点から、（ｂ’）成分として、架橋（メタ）アクリル酸重合体を含有していてもよい。架橋（メタ）アクリル酸重合体は、主たる構成モノマーが（メタ）アクリル酸であるポリマーであり、架橋剤としてモル比で、例えば（メタ）アクリル酸１００に対して０．１未満の（メタ）アクリル酸とポリオールとのエステルを用いるものが好ましい。前記ポリオールとしては、エチレングリコール、プロピレングリコール、ジエチレングリコール、グリセリン、ペンタエリスリトール、ポリエチレングリコール、ポリプロピレングリコール、ポリグリセリン、その他各種糖類などを挙げることができる。（ｂ’）成分の粘度は、前述の（ｂ）成分に記載の範囲と同じである。
【００３２】
（ｂ’）成分の全重合体中、（メタ）アクリル酸と架橋剤との合計含有量の割合は、好ましくは９８質量％以上、より好ましくは９９質量％以上、そして、好ましくは１００質量％以下であり、また１００質量％であってもよい。
【００３３】
（ｂ’）成分は、例えば、ノベオン社（Ｎｏｖｅｏｎ Ｉｎｃ．）製のカーボポール９８０、カーボポール９８１，住友精化株式会社製アクペック５０１Ｅ等の市販品を用いることができる。これらは、２種以上を併用することもできる。
【００３４】
本発明の食器用液体洗浄剤組成物は、（ｂ’）成分を、洗浄力の観点から、好ましくは０．０５質量％以上、より好ましくは０．１質量％以上、そして、好ましくは０．５質量％以下、より好ましくは０．３質量％以下含有する。なお、（ｂ’）成分の含有量（質量％）は、酸換算に基づいて算出される。
【００３５】
本発明の食器用液体洗浄剤組成物は、（ｃ）成分を、消泡又は抑泡性の観点から、好ましくは０．１質量％以上、より好ましくは０．１５質量％以上、そして、保存安定性の観点から、好ましくは５質量％以下、より好ましくは４質量％以下、更に好ましくは３質量％以下含有する。
更に、食器用液体洗浄剤組成物中の（ｃ）成分の含有量は、（ｃ）成分の化合物により、以下の通りとすることがより好適である。
（ｃ）成分が、炭素数３又は４のポリアルキレングリコールの場合、本発明の食器用液体洗浄剤組成物は、（ｃ）成分を、消泡又は抑泡性の観点から、好ましくは０．１質量％以上、より好ましくは０．１５質量％以上、更に好ましくは０．５質量％以上、より更に好ましくは１質量％以上、より更に好ましくは１．５質量％以上、保存安定性の観点から、好ましくは５質量％以下、より好ましくは４質量％以下、更に好ましくは３質量％以下含有する。
（ｃ）成分が、炭素数が１６以上１８以下の炭化水素基を有する脂肪酸エステルの場合、本発明の食器用液体洗浄剤組成物は、（ｃ）成分を、消泡又は抑泡性の観点から、好ましくは０．１質量％以上、より好ましくは０．１５質量％以上、そして、保存安定性の観点から、好ましくは５質量％以下、より好ましくは４質量％以下、更に好ましくは３質量％以下、より更に好ましくは２質量％以下、より更に好ましくは１質量％以下含有する。
（ｃ）成分が、シリコーン化合物の場合、本発明の食器用液体洗浄剤組成物は、（ｃ）成分を、好ましくは０．１質量％以上、より好ましくは０．１５質量％以上、そして、保存安定性の観点から、好ましくは５質量％以下、より好ましくは４質量％以下、更に好ましくは３質量％以下、より更に好ましくは２質量％以下、より更に好ましくは１質量％以下含有する。
【００３６】
本発明の食器用液体洗浄剤組成物は、（ｂ）成分の含有量と（ａ）成分の含有量の質量比（ｂ）／（ａ）が、保存安定性の観点から、好ましくは０．１以上、より好ましくは０．１５以上、更に好ましくは０．２以上、より更に好ましくは０．２５以上、そして、洗浄力の観点から、好ましくは５以下、より好ましくは４以下、更に好ましくは３以下、より更に好ましくは２以下、より更に好ましくは１以下である。なお、（ａ）成分の含有量（質量％）は、ナトリウム塩換算、すなわち、一般式（ａ１）中のＭ１がナトリウムイオンである化合物換算の量に基づいて算出される。また（ｂ）成分の含有量（質量％）は、酸換算に基づいて算出される。
【００３７】
本発明の食器用液体洗浄剤組成物は、（ｃ）成分の含有量と（ａ）成分の含有量の質量比（ｃ）／（ａ）が、消泡性又は抑泡性の観点から、好ましくは０．０１以上、より好ましくは０．０２以上、更に好ましくは０．０３以上、より更に好ましくは０．０４以上、より更に好ましくは０．１以上、より更に好ましくは０．３以上、そして、洗浄力の観点から、好ましくは５以下、より好ましくは４以下、更に好ましくは３以下、より更に好ましくは２以下、より更に好ましくは１以下である。なお、（ａ）成分の含有量（質量％）は、ナトリウム塩換算、すなわち、一般式（ａ１）中のＭ１がナトリウムイオンである化合物換算の量に基づいて算出される。
【００３８】
本発明の食器用液体洗浄剤組成物は、（ｂ）成分以外の重合体である（ｄ）成分として、洗浄力の観点から、アクリル酸−マレイン酸共重合体又はその塩、メタクリル酸−マレイン酸共重合体又はその塩、及びジイソブチレン−マレイン酸共重合体又はその塩から選ばれる１種以上の重合体を含有することが好ましい。
【００３９】
（ｄ）成分の重量平均分子量は、洗浄力の観点から、好ましくは１０，０００以上、より好ましくは１５，０００以上、そして、低温安定性の観点から、好ましくは１００，０００以下、より好ましくは５０，０００以下である。なお、重量平均分子量は、アセトニトリルと水の混合溶媒（リン酸緩衝液）を展開溶媒とし、ポリエチレングリコールを標準物質としてゲルパーミエーションクロマトグラフィーにより求めることができる。
【００４０】
本発明の食器用液体洗浄剤組成物は、（ｄ）成分を、洗浄力の観点から、好ましくは１質量％以上、より好ましくは２質量％以上、更に好ましくは３質量％以上、より更に好ましくは４質量％以上、より更に好ましくは６質量％以上、そして、保存安定性の観点から、好ましくは２０質量％以下、より好ましくは１５質量％以下、更に好ましくは１２質量％以下、より更に好ましくは１１質量％以下含有する。
【００４１】
本発明の食器用液体洗浄剤組成物は、水を、好ましくは６０質量％以上、より好ましくは７０質量％以上、更に好ましくは８０質量％以上、そして、好ましくは９８質量％以下、より好ましくは９５質量％以下、更に好ましくは９３質量％以下含有する。
【００４２】
本発明の食器用液体洗浄剤組成物の２０℃におけるｐＨは、洗浄力とマイルド性の観点から、好ましくは４以上、より好ましくは５以上、更に好ましくは６以上、そして、同様の観点から、好ましくは１０以下、より好ましくは９．５以下、更に好ましくは９以下、より更に好ましくは８．５以下、より更に好ましくは８以下である。
【００４３】
本発明の食器用液体洗浄剤組成物の２０℃における粘度は、保存安定性の観点から、好ましくは１００ｍＰａ・ｓ以上、より好ましくは３００ｍＰａ・ｓ以上、更に好ましくは５００ｍＰａ・ｓ以上、より更に好ましくは７００ｍＰａ・ｓ以上、より更に好ましくは９００ｍＰａ・ｓ以上、そして、取り扱い性の観点から、好ましくは１００，０００ｍＰａ・ｓ以下、より好ましくは５０，０００ｍＰａ・ｓ以下、より好ましくは１０，０００ｍＰａ・ｓ以下、更に好ましくは５，０００ｍＰａ・ｓ以下である。粘度は、ＪＩＳ  Ｚ  ８８０３：２０１１の記載に準じて測定することができ、具体的には、ブルックフィールド型粘度計（測定粘度に応じて、ローターＮｏ．３又はローターＮｏ．４、回転数３０ｒ／ｍ）を用いて測定することができる。
【００４４】
本発明の食器用液体洗浄剤組成物は、２０℃において分散液であり、乳化液又は懸濁液であってもよい。
分散液であることは、光路長１ｃｍの石英セルに、本発明の食器用液体洗浄剤組成物をそのまま入れて、吸光光度計（例えば株式会社日立製作所製のＵ-３３００）にて、８００ｎｍの透過度を測定（２０℃）し、透過度が７０％以下の場合、洗浄剤組成物が分散液であると判断することができる。
本発明の食器用液体洗浄剤組成物は、分散液の状態にすることで、（ａ）成分である炭素数１０のアルキル基又はアルケニル基を有する陰イオン性界面活性剤を用いても、以外にも洗浄剤組成物が抑泡性に優れるため、自動食器用液体洗浄剤組成物として好ましい。本発明の食器用液体洗浄剤組成物を分散液の状態にするには、例えば、油剤や（ｃ）成分である消泡剤を添加することで達成することができる。
また、そのような分散液の状態であっても、本発明の食器用液体洗浄剤組成物は、（ｂ）成分を用いることで、保存安定性にも優れる。
【００４５】
本発明の食器用液体洗浄剤組成物には、本発明の目的を損なわない範囲で、溶剤、ハイドロトロープ剤、分散剤、ｐＨ調整剤、増粘剤、粘度調整剤、香料、着色剤、酸化防止剤、防腐剤、抑泡剤、漂白剤、漂白活性化剤などの他の成分（ただし、（ａ）〜（ｄ）成分に該当しないもの）を配合することができる。
【００４６】
本発明の食器用液体洗浄剤組成物は、食器洗浄機用、更に自動食器洗浄機用、及び手洗い用の両方に用いることができ、食器洗浄機用液体洗浄剤組成物、更に自動食器洗浄機用液体洗浄剤組成物として好適である。更に業務用食器洗浄機による洗浄に好適に用いられる。なお、食器には、調理器具、洗浄器具などが含まれる。
食器洗浄機、更に業務用食器洗浄機による洗浄の際には、本発明の食器用液体洗浄剤組成物は、水と混合された洗浄液として用いられる。その際、該組成物は、供給装置によって食器洗浄機内部に一定量任意に移送され、適正な洗浄液の濃度が維持される。液体状の本発明の食器用液体洗浄剤組成物は、例えば、業務用食器洗浄機専用のチューブを該組成物が充填されたプラスチック等の容器の中に直接差し込み吸い上げられて供給される。その後、洗浄液は業務用食器洗浄機内部へ供給される。
【００４７】
本発明の食器用液体洗浄剤組成物から調製された洗浄液は、経済性の観点から、通常、自動洗浄機に備わる収容タンクにおいて一定の濃度に維持されて調製されることが好ましい。
【００４８】
本発明により、本発明の食器用液体洗浄剤組成物を水で３２０倍（質量比、以下同様）以上、７７０倍以下に希釈してなる自動洗浄機用洗浄液、及び該洗浄液を用いて自動洗浄機により食器を洗浄する洗浄方法が提供される。この洗浄方法では、本発明の食器用液体洗浄剤組成物を水で３２０倍以上、７７０倍以下に希釈して自動洗浄機用洗浄液を調製するステップ、及び該洗浄液を用いて食器洗浄機、更に自動食器洗浄機により食器を洗浄するステップを含んでよい。本発明の食器用液体洗浄剤組成物の使用時における希釈倍率は、好ましくは７７０倍（質量比、以下同様）以下、より好ましくは７００倍以下、更に好ましくは６００倍以下、更に好ましくは５５０倍以下、更に好ましくは５３０倍以下であり、そして、好ましくは３２０倍以上、より好ましくは４００倍以上、更に好ましくは４５０倍以上、更に好ましくは４７０倍以上である。
【００４９】
本発明の食器用液体洗浄剤組成物の使用時における洗浄液中の濃度は、洗浄性の観点から、好ましくは０．１質量％以上、より好ましくは０．１４質量％以上、更に好ましくは０．１７質量％以上、より更に好ましくは０．１８質量％以上、より更に好ましくは０．１９質量％以上であり、そして、経済性の観点から、好ましくは０．５質量％以下、より好ましくは０．３１質量％以下、より好ましくは０．２５質量％以下、更に好ましくは０．２２質量％以下、より更に好ましくは０．２１質量％以下である。
【００５０】
また、洗浄時間は、洗浄性の観点から、好ましくは１０秒以上、より好ましくは２０秒以上、更に好ましくは３０秒以上であり、そして、生産性及び経済性の観点から、好ましくは３分以下、より好ましくは２分以下、更に好ましくは１分以下である。
【００５１】
洗浄液の洗浄温度は、生産性及び洗浄性の観点から、好ましくは４０℃以上、より好ましくは５０℃以上であり、そして、洗浄性の観点から、好ましくは８０℃以下、より好ましくは７０℃以下である。
食器は洗浄された後、通常、同じ食器洗浄機、更に自動食器洗浄機にて速やかに、水、温水ないし熱水、例えば、好ましくは４０℃以上、より好ましくは６０℃以上、そして、好ましくは８０℃以下の熱水で、５分以上４０分以下濯ぎが行われる。
【実施例】
【００５２】
表１に示す食器用液体洗浄剤組成物を調製し、以下の項目について評価を行った。結果を表１に示す。表１の食器用液体洗浄剤組成物は、適量のイオン交換水に（ｂ）成分を加えて、ディスパー（ＰＲＩＭＩＸ製  ホモディスパー）を用いて３５００ｒｐｍで分散させた後に、室温（２５℃）で（ａ）成分、（ｃ）成分、（ｄ）成分及びクエン酸（扶桑化学製）を添加し、ホモミキサー(同上)を用いて９５００ｒｐｍで撹拌した。さらにモノエタノールアミン（株式会社日本触媒製）を添加して、ｐＨ（２０℃）を調整した。
【００５３】
＜評価方法＞
（１）タンパク質／脂質複合汚れの洗浄力
７０℃に加熱した半熟卵黄０．１ｇ（乾燥質量）を５ｃｍ×２．５ｃｍのスライドガラスに塗り、１日乾燥させてタンパク質／脂質複合汚れが付着したスライドガラスを作製した。前記汚れが付着したスライドガラスは複数を作製した。表１に示す食器用液体洗浄剤組成物を、０．２質量％水溶液となるようにイオン交換水を用いて希釈し、洗浄液とした。この洗浄液と上記汚れが付着したスライドガラス３枚とを用いて、リーナッツ試験法により洗浄試験を行った。洗浄時間は７分間、洗浄温度は４０℃とした。洗浄後、下記式により洗浄率を各スライドガラスについて算出し、その平均値を表１に示す。
洗浄率（％）＝〔（洗浄前のスライドガラスの質量−洗浄後のスライドガラスの質量）／０．１〕×１００
洗浄率（％）は、数値が高い方が洗浄力に優れていることを示し、この評価では、５０％以上が好ましく、７０％以上がより好ましく、８０％以上が更に好ましい。
【００５４】
（２）保存安定性
表１に示す食器用液体洗浄剤組成物３０ｇをＰＳ−Ｎｏ．６規格ガラス瓶に入れ、室温(２０℃)で静置して２０日間経過観察を行った。
実施例、比較例１，２，４は、目視で分散液（乳化液又は懸濁液）が分離するまでの日数を記録し、表１に示した。また比較例３は、透明溶液が濁りや分離の変化が生じるまでの日数を記録し、表１に示した。
表中の２０日以上とは、保存安定性試験期間中、外観に変化がなく安定であったことを意味する。
【００５５】
（３）抑泡性
卓上式食洗機（Panasonic株式会社製  ＮＰ−ＴＲ３）に、表１に示す食器用液体洗浄剤組成物６ｇを投入後、水道水を用いて標準コースで洗浄を開始し、２０分後の泡の高さを測定した。泡の高さは洗浄機内部の排水口を基準として発生した泡の高さを測定した。
この評価では、泡の高さは、７ｃｍ以下が好ましく、６ｃｍ以下がより好ましく、５ｃｍ以下が更に好ましく、４ｃｍ以下がより更に好ましい。
［判断基準］
Ａ：泡の高さが４ｃｍ以下
Ｂ：泡の高さが４ｃｍを超え、７ｃｍ以下
Ｃ：泡の高さが７ｃｍを超える
【００５６】
（４）洗浄剤組成物の液の状態判断
光路長１ｃｍの石英セルに、表１の食器用液体洗浄剤組成物をそのまま入れて、吸光光度計（株式会社日立製作所製、Ｕ-３３００）にて、８００ｎｍの透過度を測定（２０℃）した。透過度が７０％以下の場合、洗浄剤組成物が分散液であると判断し、透過度が７０％を超える場合、透明溶液であると判断した。また分散液は、配合した原料組成から、液体の油分のみが分散している場合を乳化液と判断し、固体の油分又は固体の油分と液体の油分とが分散している場合を懸濁液と判断した。結果を表１に示す。
【００５７】
（５）粘度の測定
表１の食器用液体洗浄剤組成物の粘度を、２０℃にてブルックフィールド型粘度計（測定粘度に応じて、ローターＮｏ．３（粘度が高い場合はローターＮｏ．４）、回転数３０ｒ／ｍ、１分）を用いて測定した。結果を表１に示す。
【００５８】
【表１】
2018083862.tif 000002
【００５９】
表中の成分は以下のものである。
（ａ）成分
・デシル硫酸ナトリウム：Fluorochem Ltd.製、一般式（ａ１）中、Ｒ１が炭素数１０の直鎖アルキル基、ｍ１が０、Ｍ１がナトリウムイオンである陰イオン性界面活性剤
・Ｃ１０（ＰＯ）０．６ＡＳ：特開２００９−０３５７１４号公報の実施例３において、原料アルコールを炭素数１０に変更したことを除いて同様に製造した陰イオン性界面活性剤〔一般式（ａ１）中、炭素数１０の直鎖アルキル基、ｍ１が０．６、Ｍ１がナトリウムである陰イオン界面活性剤〕。即ち、アルキル鎖が炭素数１０の天然アルコール１モルに、プロピレンオキシ基を平均０．６モル付加したのち、三酸化イオウにより硫酸化し、水酸化ナトリウム水溶液で中和して、該陰イオン性界面活性剤を得た。
【００６０】
（ａ’）成分（（ａ）成分の比較成分）
・ドデシル硫酸ナトリウム：和光純薬工業株式会社製、一般式（ａ１）中、Ｒ１が炭素数１２の直鎖アルキル基、ｍ１が０、Ｍ１がナトリウムイオンである陰イオン性界面活性剤
【００６１】
（ｂ）成分
・ｂ−１：架橋型アクリル酸／メタクリル酸アルキル（炭素数１０〜３０）コポリマー（アクリル酸／メタクリル酸アルキルの質量比１００／１）、住友精化株式会社製、アクペックＨＶ７０１ＥＤＲ、１質量％水溶液粘度３７５００ｍＰａ・ｓ
（ｂ’）成分（（ｂ）成分の比較成分）
・ｂ’−１：架橋型ポリアクリル酸、住友精化株式会社製、アクペックＨＶ５０１Ｅ、１質量％水溶液粘度１２５００ｍＰａ・ｓ
なお、表１中の（ｂ）成分又は（ｂ’）成分の含有量は有効分量である。
また、（ｂ）成分又は（ｂ’）成分の粘度は、水酸化ナトリウムでｐＨ７．０に調整した（ｂ）成分又は（ｂ’）成分の１質量％水溶液を、２０℃にてブルックフィールド型粘度計（ローターＮｏ．３、回転数３０ｒ／ｍ）で測定した値である。
【００６２】
（ｃ）成分
・ポリプロピレングリコール：旭硝子株式会社製、エクセノール３０３０、数平均分子量３０００
ポリプロピレングリコールの数平均分子量は、水酸基価から求めた値であり、水酸基価はＪＩＳ  Ｋ−１５５７−１に準じて測定した。
・シリコーン化合物：シリカ微粒子とシリコーンの混合物、東レ・ダウコーニング株式会社製、ＸＩＡＭＥＴＥＲ  ＡＣＰ−１５００  ＡＮＴＩＦＯＡＭ  ＣＯＭＰＯＵＮＤ
【００６３】
（ｄ）成分
・アクリル酸マレイン酸共重合体の塩：アクリル酸Ｎａ／マレイン酸Ｎａ＝２．３（モル比）、重量平均分子量２１０００、花王株式会社製、ポイズ５２０